(57)【要約】【課題】ユニット化と共に合理的に強化設計された部材構成により、単管足場に比べて大幅な資材重量の削減が可能になり、作業性と安全性、工期と経済性の向上だけでなく、盛り替えと転用が容易に行える法面の作業床構築システムを提供する。【解決手段】法面の部分に順次上方に継足して支柱１を起立配置し、隣接する支柱１を布材８で結合してパイプ構造物の足場Ａを構築し、この足場Ａにおける両側支柱１の上端間にトラス大引３をピン結合によって架設し、下面にトラス３１が一体化された作業床パネル４を平行する前記トラス大引３間の上にピン結合によって架設し、この作業床パネル４の法面と反対側の上部に手摺り柱５と幅木６を配置し、このように法面の面方向に沿って作業床パネル４を敷設することにより足場Ａの上に連続した作業路Ｂを形成する。【選択図】図４
2006176951.tif 000002
【特許請求の範囲】
【請求項１】
法面の部分に起立配置したパイプ構造物の足場を構築し、この足場において法面の面方向に沿って位置する両側縦柱の上端間にトラス大引をピン結合によって架設し、下面にトラスが一体化された作業床パネルを平行する前記トラス大引間の上にピン結合によって架設し、この作業床パネルの法面と反対側の上部に手摺りと幅木を配置し、このようにして法面の面方向に沿って作業床パネルを敷設することによって足場の上に連続した作業路を形成する法面の作業床構築システム。
【請求項２】
上記足場において、法面の面方向に沿って位置する両側縦柱の上端間に、足場の所要スパンにおいて桟橋用のトラス大引と作業床パネルを傾斜状に架設することにより、作業路の段差部分を連続させるようにする請求項１に記載の法面の作業床構築システム。
【請求項３】
法面の部分に順次上方に継足して起立配置する足場構成部材と、隣接する足場構成部材を連結する布材と、前記足場構成部材の上端に取付ける大引受け金具と、端部をこの大引受け金具の上に載せてピン結合し、法面の面方向に沿って位置する両側足場構成部材の上端間に架設するトラス大引と、下面にトラスが一体化され、平行する前記トラス大引間の上にピン結合によって架設する作業床パネルと、架設したこの作業床パネルの法面と反対側の上部に配置する手摺りと幅木からなり、前記トラス大引間に作業床パネルを連続するよう敷設することにより、法面の面方向に沿って連続した作業路を形成することができる法面の作業床構築装置。
【請求項４】
隣接する足場構成部材を連結する布材の両端部に貫通孔を設け、上下布材の対角位置間に斜めの状態で配置する筋交いの両端に、布材に対して弾力的に外嵌する二片の連結板を突設し、この連結板の布材に対して外嵌する先端側の対向面に前記貫通孔への係合ピンを設け、前記連結板の筋交いに対する取付け側に、押し込みによって先端側を拡開させて係合ピンを貫通孔から抜き取る押し込みピンを設けた請求項３に記載の法面の作業床構築装置。
【請求項５】
パネルの下面に複数のトラスを所定の間隔で平行状に取付け、このトラスがパネルの下面に重なる折畳み状態から下方に垂下する回動自在になり、各トラスの両端に大引への載置金物が設けられている法面の作業床構築に用いる作業床パネル。
【請求項６】
水平材の一端側下部に垂直材を固定し、ジャッキベースを取付けることができる水平材の他端側と垂直材の下端部を斜材で結合し、前記水平材の一端側と垂直材の下端部に足場構成部材へ固定するためのロック金具を設け、前記水平材の他端側に、下端にジャッキベースを取付けることができる下向きの短尺パイプと、足場構成部材の縦柱を接続する上向きのジョイントを設けた法面の作業床構築に用いる斜面ブラケット。
【発明の詳細な説明】
【技術分野】
【０００１】
この発明は、法面の工事において、各種作業を行うための足場を構築する法面の作業床構築システムと作業床構築装置及び作業床パネルに関する。
【背景技術】
【０００２】
地盤の不安定な傾斜面や切土には、法枠や吹付けコンクリート等による補強を施して崩落の防止が図られているが、地震や台風による自然災害により、地すべり、岩盤崩落、老朽化した前記補強の剥落といった斜面災害が多く発生し、これらの復旧工事には、法面に足場を組み、上面に作業床を有する足場を構築し、作業床に載置した作業機械で工事を行う必要がある。
【０００３】
従来、上記のような作業に用いる足場は、法面の部分に順次上方に継足して起立配置した単管パイプをクランプを用いて布材で結合することでパイプ構造物の足場を構築し、この足場の上に足場板を敷設することによって作業床を形成するようにしていた。
【発明の開示】
【発明が解決しようとする課題】
【０００４】
しかし、クランプを用いて単管パイプと布材を結合して組み立てる足場は、組み立てや解体が煩雑となり、軟弱な地盤、傾斜地における足場の組み立て、盛り替え、解体作業は危険性を伴い、大変な時間と費用を必要とするという問題がある。
【０００５】
具体的には、膨大な数量の単管パイプとクランプの締結に時間を要し、クランプ緊結部の緩み、外れ、緊結忘れが発生する危険がある。
【０００６】
単管パイプと布材の間隔及び通りを測りながらの作業、各層の布材の水平レベル調整、作業床の水平レベル調整等に手間がかかり、単管パイプの最上部にクランプで堅結した布材を大引とするため、強度上に問題があり、強度計算上、建地パイプと布材の感覚が狭くなるため、施工上、作業員の移動や材料搬入が困難となり、杉板による作業床の番線による堅結は緩みが生じやすく、足場解体時に発生する番線屑の放置、収集、処分が発生するという問題がある。
【０００７】
そこで、この発明の課題は、ユニット化と共に合理的に強化設計された部材構成により、単管足場に比べて大幅な資材重量の削減が可能になり、作業性と安全性、工期と経済性の向上だけでなく、盛り替えと転用が容易に行える法面の作業床構築システムと作業床構築装置及び作業床パネルを提供することにある。
【課題を解決するための手段】
【０００８】
上記のような課題を解決するため、請求項１の発明は、法面の部分に起立配置したパイプ構造物の足場を構築し、この足場において法面の面方向に沿って位置する両側縦柱の上端間にトラス大引をピン結合によって架設し、下面にトラスが一体化された作業床パネルを平行する前記トラス大引間の上にピン結合によって架設し、この作業床パネルの法面と反対側の上部に手摺りと幅木を配置し、このようにして法面の面方向に沿って作業床パネルを敷設することによって足場の上に連続した作業路を形成する構成を採用したものである。
【０００９】
請求項２の発明は、請求項１の発明において、上記足場において、法面の面方向に沿って位置する両側縦柱の上端間に、足場の所要スパンにおいて桟橋用のトラス大引と作業床パネルを傾斜状に架設することにより、作業路の段差部分を連続させるようにする構成を採用したものである。
【００１０】
請求項３の発明は、法面の部分に順次上方に継足して起立配置する足場構成部材と、隣接する足場構成部材を連結する布材と、前記足場構成部材の上端に取付ける大引受け金具と、端部をこの大引受け金具の上に載せてピン結合し、法面の面方向に沿って位置する両側足場構成部材の上端間に架設するトラス大引と、下面にトラスが一体化され、平行する前記トラス大引間の上にピン結合によって架設する作業床パネルと、架設したこの作業床パネルの法面と反対側の上部に配置する手摺りと幅木からなり、前記トラス大引間に作業床パネルを連続するよう敷設することにより、法面の面方向に沿って連続した作業路を形成することができる構成を採用したものである。
【００１１】
請求項４の発明は、請求項３の発明において、隣接する足場構成部材を連結する布材の両端部に貫通孔を設け、上下布材の対角位置間に斜めの状態で配置する筋交いの両端に、布材に対して弾力的に外嵌する二片の連結板を突設し、この連結板の布材に対して外嵌する先端側の対向面に前記貫通孔への係合ピンを設け、前記連結板の筋交いに対する取付け側に、押し込みによって先端側を拡開させて係合ピンを貫通孔から抜き取る押し込みピンを設けた構成を採用したものである。
【００１２】
請求項５の発明は、パネルの下面に複数のトラスを所定の間隔で平行状に取付け、このトラスがパネルの下面に重なる折畳み状態から下方に垂下する回動自在になり、各トラスの両端に大引への載置金物が設けられている構成を採用したものである。  
【００１３】
請求項６の発明は、水平材の一端側下部に垂直材を固定し、ジャッキベースを取付けることができる水平材の他端側と垂直材の下端部を斜材で結合し、前記水平材の一端側と垂直材の下端部に足場構成部材へ固定するためのロック金具を設け、前記水平材の他端側に、下端にジャッキベースを取付けることができる下向きの短尺パイプと、足場構成部材の縦柱を接続する上向きのジョイントを設けた構成を採用したものである。
【発明の効果】
【００１４】
この発明によると、足場構成部材やトラス大引と作業床パネルをユニット化し、合理的に強化設計された部材構成により、単管足場に比べて大幅な資材重量の削減が可能になり、機材の軽量化が可能になり、しかも、機能的にデザイン化された各部材は取り回しが容易で結合部が自動的にロックされ、組み立てに特別な工具を必要としないので、作業性の向上が図れる。
【００１５】
また、傾斜地であっても、軽量化された部材の組み立てにより、安全に作業を進めることができ、３次元的方向に対して任意の位置で分解又は接続が可能となり、盛り替えと転用が簡単に行え、足場の安全性向上と工期短縮及び経費の削減が可能になる。
【００１６】
更に、作業床パネルの敷設により、法面の面方向に沿って作業床を連続して形成することができ、しかも、桟橋用のトラス大引と作業床パネルの採用により、作業員だけでなく作業機材の法面の面方向に沿う移動が自由となり、盛り替えによって法面に対する工事が能率よく行えるようになる。
【発明を実施するための最良の形態】
【００１７】
以下、この発明の実施の形態を添付図面に基づいて説明する。
【００１８】
図１乃至図３に示のように、法面の作業床構築システムは、足場構成部材として支柱１を採用し、法面の部分にこの支柱１を用いて構築するパイプ構造物の足場Ａと、この足場Ａにおける支柱の上端部に取付ける大引受け金物２と、両端部を大引受け金物２で支持することによって、法面の面方向に沿って位置する両側支柱１の上端間に架設するトラス大引３と、平行する前記トラス大引３間の上に架設され、連続した作業路Ｂを形成する作業床パネル４と、足場Ａの上部において、この作業床パネル４の法面と反対側の上部に配置する手摺り柱５と幅木６によって組み立てられ、盛り替えによって生じる前記作業路Ｂの段差に対して、傾斜状につなぐ桟橋部分を形成するために、別に桟橋用のトラス大引３ａと作業床パネル４ａ等が用意されている。
【００１９】
前記足場Ａは、順次上方に継足すようにした支柱１と、最下部支柱の下端を支持するジャッキベース７と、隣接する支柱１を結合する布材８と、上下に位置する布材８の対角位置を結合する筋交い９と、支柱１の下部を法面に施工した法枠Ｃに固定する法枠クランプ１０を用いて組み立てるようになっている。
【００２０】
上記支柱１は、図４（ａ）のように、鋼管の外部に水平のフランジ１１を一定間隔の配置で固定し、上端に上位支柱の下端を差し込むことによって自動的にロックすることのできる接続ジョイント１２を突設して形成され、上記フランジ１１には、四方の位置に布材８の結合孔１３が設けられている。ちなみに、フランジ１１の配置は上下の間隔ｈが４５０ｍｍに設定されている。
【００２１】
上記布材８は、図４（ｂ）と図６のように、支柱１のフランジ１１に差し込むことにより、結合孔１３を利用して自動的に固定するロック金具１４を鋼管の両端に設けて形成され、前記ロック金具１４は、フランジ１１への差し込みスリット１５を先端で開口するよう水平に設けた二又金物１６に、スリット１５をフランジ１１に差し込むことによって結合孔１３へ落ち込み、フランジ１１に布材８の端部を固定するロック部材１７を取付けた構造になっている。
【００２２】
上記支柱１と布材８は、それぞれ長さの異なるものが用意され、図４（ａ）のように、支柱１は、長さＬが３，６００ｍｍ、２，７００ｍｍ、１，８００ｍｍ、９００ｍｍ、４５０ｍｍ、２２５ｍｍの６種類が用意され、法面の条件に応じて選択使用するようになっている。
【００２３】
また、図４（ｂ）のように、布材８は、長さＬが１，８００ｍｍ、９００ｍｍ、６００ｍｍの３種類が用意され、支柱１をそれぞれの長さ配置で結合するようになっている。
【００２４】
上記大引受け金物２は、最上部支柱１の上端に取り付けるものであり、図３（ａ）と図６のように、接続ジョイント１２に外嵌する短尺パイプ２４の上端に上向きコ字状の受け金具２５を固定し、受け金具２５の上面で両端部寄りの位置にピン２６突設した構造になっている。
【００２５】
上記トラス大引３は、角パイプ２７の下部に補強トラス２８を溶接して形成され、大引受け金物２の受け金具２５に嵌め込む両端部の下面にはピン２６への結合孔２９が設けられ、このトラス大引３は、長さＬが１，８００ｍｍと９００ｍｍの２種類が用意されている。
【００２６】
上記作業床パネル４は、複数枚の杉板を密に並べて下面を横棧で結合したパネル３０の下面に、補強用となる複数のトラス３１（図４ｄでは４本）を長さ方向に所定の間隔で平行状に枢止金具で取り付け、パネル３０の下面に重なる折畳み状態から下方に垂下する回動自在にすると共に、各トラス３１の両端に、下向きＬ字形に形成され、トラス大引３の角パイプ２７に対して外接する載置金物３２が設けられている。
【００２７】
上記作業床パネル４の両端に位置するトラス３１において、載置金物３２にはトラス大引３の角パイプ２７上に重なる面に下向きのピン３３が突設され、トラス大引３の角パイプ２７には、両端の上面位置にピン３３の結合孔３４が設けられている。
【００２８】
この作業床パネル４は、図４（ｄ）において、長さＬと幅Ｗの関係が、長さＬが１，８００ｍｍに対して幅Ｗが９００ｍｍ、６００ｍｍ、４００ｍｍの三種類と、長さＬが９００ｍｍに対して幅Ｗが９００ｍｍ、６００ｍｍ、４００ｍｍの三種類の計六種類が用意されている。
【００２９】
上記手摺り柱５は、図９のように、支柱１の外側に配置する取付けパイプ３５の下端部に、支柱１に対して外接するホルダー３６と、上部寄りの途中に、布材８と同様、支柱１のフランジ１１に差し込むことによって自動的に固定するロック金具１４を設け、前記取付けパイプ３５の上端部に垂直となる柱パイプ３７を支柱１と同軸心の配置になるよう固定し、この柱パイプ３７の下端部と中間部及び上端部に支柱１と同じフランジ１１が固定され、フランジ１１よりも下部の両側面にそれぞれ複数のピン孔３８が設けられている。
【００３０】
この手摺り柱５を支柱１に取付けた状態で、隣接する柱パイプ３７の上端と中間のフランジ１１間には、布材８と同様両端にロック金具１４を設けた手摺りパイプ３９を、フランジ１１への結合によって架設するようになっている。
【００３１】
幅木６は、柱パイプ３７の下端フランジ１１と作業床パネル４におけるパネル３０の上面間に収まる高さと、隣接する柱パイプ３７間に収まる長さを有し、その両端に柱パイプ３７のピン孔３８に結合するピン４０が突設され、長さＬが１，８００ｍｍと９００ｍｍの二種類が用意されている。
【００３２】
また、足場Ａの所要スパンにおいて、作業路Ｂの段差部分を連続させる傾斜状の桟橋部分を形成するため、傾斜状に架設する桟橋用のトラス大引３ａと作業床パネル４ａ、幅木、手摺りパイプ等は、図示省略したが、上述した水平に架設するものと同様の構造において、両端部が傾斜状態で相手に結合できるようになっており、この桟橋部分に使用する大引受け金物は、図５（ｂ）のように、受け金具２５が中間部を境に一端側が水平で他端側が上又は下向きの傾斜状に屈曲した構造になっている。
【００３３】
この傾斜状の桟橋部分は、足場Ａのスパンが１，８００ｍｍと９００ｍｍの何れにおいても、両端の上下差が４５０ｍｍになるような傾斜角度に設定されている。
【００３４】
上記足場Ａにおける支柱１の下部を法枠Ｃに固定する法枠クランプ１０は、図１０のように、法枠Ｃの枠縁部分を、主杆４１に設けた一対の掴み片４２で挟み込んでボルトの締付けにより固定するような構造になっており、法枠Ｃの枠縁部分と足場Ａの支柱１における下部を鋼管クランプ４３と短管４４を用いて結合することで、構築した足場Ａの強度向上を図っている。
【００３５】
なお、詳細を略したが、組み立てた足場Ａには、昇降用の階段やその手摺り、作業床を形成するための床付き布枠を取付けるほか、単管とクランプを用いた根がらみ４５や大筋交い４６等によって適宜補強するようになっている。
【００３６】
図１１乃至図１３は、作業足場の構築に用いる支柱１とロック金具及び、法面に対する作業足場の設置構造の他の例を示し、法面に対して固定するための斜面ブラケット４８を用いている。
【００３７】
上記支柱１には、外周面の四箇所の位置にホルダー４９を溶接によって固定し、このホルダー４９群を上下に所定間隔の配置で設けた構造になっている。
【００３８】
図１３のように、布材８の端部に設けたロック金具１４ａは、ホルダー４９内に挿入する差込み片５０を有し、この差込み片５０の下端部で、この差込み片５０をホルダー４９内に挿入した状態でホルダー４９の下端に臨む部位に、ホルダー４９に対する抜け止め用の係止金具５１をピン５２で枢止し、この係止金具５１に枢止点を中心として偏心する係止縁５３を設け、この係止縁５３が、係止金具５１をホルダー４９からの差込み片５１の抜き取りを可能とした位置でホルダー４９の下縁から離反し、ホルダー４９に対する係止金具５１の係止位置でホルダー４９の下縁に作用するように形成されている。
【００３９】
上記差込み片５０は、ホルダー４９内に挿入した状態でホルダー４９の上縁に対する当接部５４を有し、上記係止金具５１がばねによって、ホルダー４９からの差込み片５０の抜き取りを可能とした位置と、ホルダー４９に対する係止金具５１の係止位置の何れかを弾力的に保持するようになっている。
【００４０】
ここで、上記した差込み片５０は、ホルダー４９内に挿入したとき、内側縁の上部に設けた当接部５４がホルダー４９の上縁に対して当接すると同時に、垂直となる外端面が支柱１の外面に当接することにより、支柱１と布材８は直角の結合状態となる。
【００４１】
上記差込み片５０は、内側面で開放する断面コ字状となり、この差込み片５０の下端部で両側の対向する側壁間に係止金具５１が納まり、係止金具５１はピン５２側壁に回転可能に取付けられ、ピン５２は軸心がホルダー４９の下縁よりも下方の位置になるように設定されている。
【００４２】
このようなロック金具１４ａによると、差込み片５０の下端部で、この差込み片５０をホルダー４９内に挿入した状態でホルダー４９の下端に臨む部位に、ホルダー４９に対する抜け止め用の係止金具５１を枢止したので、差込み片５０をホルダー４９内に挿入して係止金具５１を係止位置にすることにより、ホルダー４９に対して差込み片５１は抜け止め状態となり、二つの部材を確実に結合することができ、係止位置にある係止金具５１は、枢止点に対して偏心する係止縁５３がホルダー４９の下縁に当接するので、係止縁５３は引き抜き力に対してホルダー４９に対して食い込むように作用し、これによって耐引き抜き強度の優れた結合が得られることになる。
【００４３】
更に、差込み片５０に取付けた係止金具５１は外部から見えるので、二つの部材の結合した抜け止め状態を目視確認することができ、これにより、二つの部材の結合によって組み立てる構造物の安全に対する信頼性が向上するという利点がある。
【００４４】
図１１のように、法面に対する作業足場Ａの固定には、法面の傾斜角度の急な部分に用いる斜面ブラケット４８ａと、同じく法面の傾斜角度の緩い部分に用いる斜面ブラケット４８ｂが用意されている。
【００４５】
この斜面ブラケット４８は、図１２に示すように、水平材５５の一端側に垂直材５６を直角に固定し、水平材５５の他端側の上面に支柱１の接続ジョイント１２と、下面に垂直の短尺パイプ５７を設け、前記水平材５５の他端側と垂直材５６の下端部を斜材５８で結合し、前記水平材５５の一端側と垂直材５６の下端部に上述したロック金具１４ａを固定した構造を有し、法面の傾斜角度の急な部分に用いる斜面ブラケット４８ａは図１２（ａ）のように上下に長く、法面の傾斜角度の緩い部分に用いる斜面ブラケット４８ｂは図１２（ｂ）のように上下に短い三角形になっている。
【００４６】
作業足場の構築において、法面の傾斜角度が緩い下部の位置においては、斜面ブラケット４８ｂを隣接する支柱１と法面の間に設置し、この斜面ブラケット４８ｂは支柱１に対してロック金具１４ａで取付け、水平材５５の端部と短尺パイプ５７の下端に取付けたジャッキベース７を法面に当接させ、ジョイント１２に支柱１を接続することで足場Ａを組み立てるものである。
【００４７】
また、法面の傾斜角度がきつい上部の位置においては、斜面ブラケット４８ａを隣接する支柱１と法面の間に設置し、この斜面ブラケット４８ａは支柱１に対してロック金具１４ａで取付け、水平材５５の端部に取付けたジャッキベース７を法面に当接させ、ジョイント１２に支柱１を接続することで足場Ａを組み立てるものである。
【００４８】
なお、短尺パイプ５７の下端に取付けたジャッキベース７を法面で支持するため、法面に水平部を切削加工すると共に、水平材５５の端部に取付けたジャッキベース７は、ベース板が上下に角度可変となり、法面の傾斜角度の変化に対応することができる構造になっている。
【００４９】
このような斜面ブラケット４８の採用により、傾斜する法面に対して足場Ａを強度的に安定よく構築することができ、このため、根がらみ４５や大筋交い４６が不要になるという利点がある。
【００５０】
上記の足場Ａにおいて、支柱１を連結する上下の布材８は、必要な箇所を筋交い９で結合し、足場Ａの強度を向上させるようにする。
【００５１】
図６と図１４のように、支柱１を連結する布材８の両端部に水平方向の貫通孔１８を設け、上下布材８の対角位置間に斜めの状態で配置する筋交い９は、その両端に、途中の結合ピン１９を支点に開閉自在となり、布材８の幅に対して板バネ２０の作用で先端側が弾力的に外嵌する一対の連結板２１を突設し、この連結板２１の先端側の対向面に前記貫通孔１８への係合ピン２２を設け、前記連結板２１の筋交い９に対する取付け側に、押し込みによって先端側を拡開させて係合ピン２２を貫通孔１８から抜き取るための押し込みピン２３を設けて形成されている。
【００５２】
このような構造の筋交い９は、上下布材８を対角位置間で結合した状態で、その軸線が平面的に布材８の軸線と平行して重なる配置となり、布材８からの負荷が筋交いに直線的にかかり、筋交い９の耐座屈性能が改善されるという利点がある。
【００５３】
なお、図示例では、足場構成部材に支柱１を用い、この支柱１が足場の縦柱となるようにしたが、足場構成部材として図示省略したが既存の足場用建枠を採用することができる。
【００５４】
次に、法面に作業床を構築する方法を説明する。
【００５５】
例えば、法枠Ｃを施工した法面にジャッキベース７を所定間隔の配置で設置してその上に支柱１を立設し、隣接する支柱１を布材８で結合すると共に上下布材８を筋交い９で結合し、架設した床付き布枠を足場にして各支柱１を上方に継足しながらこれを繰り返すことにより、法面の面方向に沿うスパンが１，８００ｍｍ又は９００ｍｍで幅が９００ｍｍ又は６００ｍｍとなる、法面の高さと長さに対応した足場Ａを構築する。
【００５６】
組み立てた足場Ａの支柱１における下部は法枠Ｃに法枠クランプ１０を用いて固定化し、この足場Ａには、昇降用の階段やその手摺り、作業床を形成するための床付き布枠を取付けるほか、単管とクランプを用いた根がらみ４５や大筋交い４６によって適宜補強するようにする。
【００５７】
この足場Ａの最上部において、各支柱１の上端に大引受け金物２を取付け、法面の面方向に沿って位置する両側支柱１の上端間に、両端を大引受け金物２に嵌め込んでピン結合することによってトラス大引３を架設し、このトラス大引３で前記両側支柱１の上端を結合する。
【００５８】
次に、平行するトラス大引３間の上部に作業床パネル４を水平状態で位置させると、下面の各トラス３１は垂下し、両端に位置するトラス３１の載置金物３２に設けたピン３３を角パイプ２７結合孔３４に係合するようにトラス大引３間に嵌め込むと、各トラス３１の端部に設けた載置金物３２が角パイプ２７の上面と側面に外接することで、幅方向に位置して隣接する支柱１の上端が作業床パネル４によって結合される。
【００５９】
上記作業床パネル４は、トラス大引３間に取付けることで、トラス大引３間の上面にパネル３０を張設した状態になり、このようにして、支柱１の上端部に作業床パネル４を、法面の面方向及び足場Ａの幅方向に順次敷設することにより、法面の面方向に沿って連続し、幅方向に必要な幅を有する作業床Ｂが形成されることになる。
【００６０】
また、足場Ａの最上部において、作業床Ｂの法面と反対側で支柱１の上端部及び、作業床パネル４を張設しない支柱１の上端部には、支柱１の外側に手摺り柱５を取付け、隣接する手摺り柱５の柱パイプ３７間の上部に手摺りパイプ３９を架設すると共に、下部に幅木６を取付け、作業者の安全を確保する。
【００６１】
このようにして組み立てられた足場Ａの作業床Ｃ上に作業機械Ｄを設置し、図２（ａ）のように、法面に対する補強や補修等の工事を行うものであり、作業床Ｃが法面の面方向に連続しているので、作業機械Ｄを法面の面方向に移動させながら工事を進行させることができる。
【００６２】
次に、作業の進行に伴う盛り替えは、図２（ｂ）のように、手摺り柱５と幅木６及び作業床パネル４、トラス大引３を順に取外して上部の支柱１を抜き取り、この後、残した支柱１の上端に上述したと同様の手順で作業床Ｂを形成すればよく、作業の進行と共にこのような盛り替えを繰り返して行うことにより、法面に対する作業場所の移動が可能になる。
【００６３】
このような盛り替えによって、作業床Ｂに段差が生じた場合は、段差部分の数スパンにおいて、桟橋用のトラス大引３ａと作業床パネル４ａ、大引受け金物、幅木、手摺りパイプ等を用い、図１のように、これを傾斜状に架設することによりの桟橋部分を形成すれば、作業床の全長における作業機械Ｄの移動が行えることになる。
【００６４】
上記のように、この発明の足場Ａは、法面のような傾斜地であっても、ユニット化と軽量化された部材の組み立てにより、安全に作業を進めることができ、３次元的方向に対して任意の位置で分解又は接続が可能となり、盛り替えと転用が簡単に行え、足場Ａの安全性向上と工期短縮及び経費の削減が可能になると共に、作業床パネル４のピン結合による敷設により、法面の面方向に沿って作業床Ｂを連続して形成することができ、しかも、桟橋用のトラス大引と作業床パネルの採用により、作業員だけでなく作業機材の法面の面方向に沿う移動が自由となり、盛り替えによって法面に対する工事が能率よく行えるようになる。
【図面の簡単な説明】
【００６５】
【図１】法面に構築した作業足場の正面図
【図２】（ａ）は法面に構築した作業足場の側面図、（ｂ）は盛り替え後の作業足場の側面図
【図３】（ａ）は法面に構築した作業足場の上部構造を示す正面図、（ｂ）は同側面図
【図４】（ａ）乃至（ｆ）は作業足場の構成部材を示し、（ａ）は支柱の正面図、（ｂ）は布材の正面図、（ｃ）はトラス大引の正面図、（ｄ）は作業床パネルの平面図と正面図、（ｅ）は手摺り柱の正面図、（ｆ）は幅木の正面図
【図５】（ａ）は大引受け金物の一部切り欠き正面図、（ｂ）は桟橋用の大引受け金物を示す正面図
【図６】作業足場の上部構造を構築するための部材を示す分解斜視図
【図７】作業床パネルの裏面構造を示す斜視図
【図８】作業足場の上部構造を示す要部の拡大した正面図
【図９】手摺り柱と幅木及び手摺りパイプの分解斜視図
【図１０】法枠クランプの使用状態を示す正面図
【図１１】法面に構築した作業足場の他の例を示す側面図
【図１２】（ａ）は同上の作業足場において、法面の傾斜角度の急な部分に用いる斜面ブラケットの正面図、（ｂ）は同じく法面の傾斜角度の緩い部分に用いる斜面ブラケットの正面図
【図１３】（ａ）は同上の作業足場において、支柱に対する布材や斜面ブラケットの結合に用いるロック金具の正面図、（ｂ）は同上の結合状態を示す正面図
【図１４】（ａ）は作業足場の筋交いを示す使用状態の正面図、（ｂ）は筋交いの端部構造を示す拡大した正面図、（ｃ）は同横断平面図
【符号の説明】
【００６６】
Ａ        足場
１        支柱
２        大引受け金物
３        トラス大引
４        作業床パネル
５        手摺り柱
６        幅木
７        ジャッキベース
８        布材
９        筋交い
１０      法枠クランプ
１１      フランジ
１２      接続ジョイント
１３      結合孔
１４      ロック金具
１５      差し込みスリット
１６      二又金物
１７      ロック部材
１８      貫通孔
１９      結合ピン
２０      板バネ
２１      連結板
２２      係合ピン
２３      押し込みピン
２４      短尺パイプ
２５      受け金具
２６      ピン
２７      角パイプ
２８      補強トラス
２９      結合孔
３０      パネル
３１      トラス
３２      載置金物
３３      ピン
３４      結合孔
３５      取付けパイプ
３６      ホルダー
３７      柱パイプ
３８      ピン孔
３９      手摺りパイプ
４０      ピン
４１      主杆
４２      掴み片
４３      鋼管クランプ
４４      短管
４５      根がらみ
４６      大筋交い
４８      斜面ブラケット
４９      ホルダー
５０      差込み片
５１      係止金具
５２      ピン
５３      係止縁
５５      水平材
５６      垂直材
５７      短尺パイプ
【図１】
2006176951.tif 000003
【図２】
2006176951.tif 000004
【図３】
2006176951.tif 000005
【図４】
2006176951.tif 000006
【図５】
2006176951.tif 000007
【図６】
2006176951.tif 000008
【図７】
2006176951.tif 000009
【図８】
2006176951.tif 000010
【図９】
2006176951.tif 000011
【図１０】
2006176951.tif 000012
【図１１】
2006176951.tif 000013
【図１２】
2006176951.tif 000014
【図１３】
2006176951.tif 000015
【図１４】
2006176951.tif 000016